(57)【要約】【課題】被験者が心身状態を変化させることを支援する心身相関データ評価装置及び心身相関データ評価方法を提供すること。【解決手段】被験者１０の行動の動機を作り出す刺激を提示する刺激提示部１０１と、被験者１０の生理反応データを収集する生理反応データ収集部１０２と、被験者１０の主観量データや行動量データを収集する主観量・行動量データ収集部１０３と、生理反応データと、主観量データと、行動量データとのうちの少なくともいずれか一つのデータと、刺激とに基づいて、被験者の心身状態を評価する制御演算部１０５と、少なくとも被験者１０の心身状態を被験者１０へフィードバックするデータフィードバック部１０４と、を有する。【選択図】        図１
2007167105.tif 000002
【特許請求の範囲】
【請求項１】
被験者の行動の動機を作り出す刺激を提示する刺激提示部と、
前記被験者の生理反応データを収集する生理反応データ収集部と、
前記被験者の主観量データを収集する主観量データ収集部と、
前記被験者の行動量データを収集する行動量データ収集部と、
前記生理反応データと、前記主観量データと、前記行動量データとのうちの少なくともいずれか一つのデータと、前記刺激とに基づいて、前記被験者の心身状態を評価する評価演算部と、
少なくとも前記被験者の心身状態を前記被験者へフィードバックするフィードバック部と、を有することを特徴とする心身相関データ評価装置。
【請求項２】
前記生理反応データと、前記主観量データと、前記行動量データとのうちの少なくともいずれか一つのデータとを記憶するデータ記憶部と、
前記刺激提示部が前記刺激を提示するときに参照するためのデータベース部と、をさらに有することを特徴とする請求項１に記載の心身相関データ評価装置。
【請求項３】
被験者の行動の動機を作り出す刺激を提示する刺激提示ステップと、
前記被験者の生理反応データを収集する生理反応データ収集ステップと、
前記被験者の主観量データを収集する主観量データ収集ステップと、
前記被験者の行動量データを収集する行動量データ収集ステップと、
前記生理反応データと前記主観量データと前記行動量データとのうちの少なくともいずれか一つのデータと、前記刺激とに基づいて、前記被験者の心身状態を評価する評価演算ステップと、
少なくとも前記被験者の心身状態を前記被験者へフィードバックするフィードバック・ステップと、を有することを特徴とする心身相関データ評価方法。
【請求項４】
前記刺激提示ステップでは、予め定められている内容の刺激を提示すること、または心身状態の評価を行う前の状態の前記被験者の前記生理反応データと前記主観量データと前記行動量データとのうちの少なくともいずれか一つのデータに基づいて前記被験者の心身状態に応じた刺激を提示することを行い、
前記刺激を提示された後の前記被験者の心身状態に応じて、さらに前記刺激の内容を変化させて、前記被験者に提示することを特徴とする請求項３に記載の心身相関データ評価方法。
【請求項５】
前記評価演算ステップによる前記被験者に関する少なくとも評価データを記憶するデータ記憶ステップを有し、
前記刺激提示ステップでは、少なくとも前記データ記憶ステップにおいて記憶されている評価データに基づいて前記被験者の心身状態に応じた刺激候補を提示することを行い、
さらに、提示された前記刺激候補から刺激を前記被験者に選択させる刺激選択ステップを有することを特徴とする請求項３に記載の心身相関データ評価方法。
【請求項６】
時間間隔をおいて、前記刺激提示ステップと前記評価演算ステップとを行うことを特徴とする請求項３〜５のいずれか一項に記載の心身相関データ評価方法。
【発明の詳細な説明】
【技術分野】
【０００１】
本発明は、被験者個人の心身相関データを収集し、評価する心身相関データ評価装置及び心身相関データ評価方法に関するものである。
【背景技術】
【０００２】
従来、音、温度、明るさ等の刺激に対する人間の生理的応答と、生理的応答以外の被験者の主観や行動を計測して記録するデータ収集装置が、特許文献１に開示されている。このデータ収集装置は、被験者の周囲の環境情報、その環境に置かれている被験者の生理的なデータ、主観量データ、行動量データ、環境情報データを収集する。
【０００３】
【特許文献１】特許第２７７２４１３号公報
【発明の開示】
【発明が解決しようとする課題】
【０００４】
しかしながら、従来技術の装置では、被験者の周囲の環境を積極的に変化させるものではない。このため、周囲の環境が変化した時の、被験者の生理的応答、主観、行動等を計測、記録することはできない。また、従来、計測されたデータの一次利用者は、建築関係の人など環境を提供する側であった。このため、二次利用者となるデータを提供した一般の人々、即ち被験者へデータをフィードバックすることは、あまり考慮されていない。
【０００５】
本発明は、上記に鑑みてなされたものであって、被験者へ種々の刺激を付与し、被験者の生理的応答、主観、行動等を計測、記録し、その応答を評価、フィードバックすることで、被験者が心身状態を変化させることを支援する心身相関データ評価装置及び心身相関データ評価方法を提供することを目的とする。
【課題を解決するための手段】
【０００６】
上述した課題を解決し、目的を達成するために、本発明によれば、被験者の行動の動機を作り出す刺激を提示する刺激提示部と、被験者の生理反応データを収集する生理反応データ収集部と、被験者の主観量データを収集する主観量データ収集部と、被験者の行動量データを収集する行動量データ収集部と、生理反応データと、主観量データと、行動量データとのうちの少なくともいずれか一つのデータと、刺激とに基づいて、被験者の心身状態を評価する評価演算部と、少なくとも被験者の心身状態を被験者へフィードバックするフィードバック部と、を有することを特徴とする心身相関データ評価装置を提供できる。
【０００７】
また、本発明の好ましい態様によれば、生理反応データと、主観量データと、行動量データとのうちの少なくともいずれか一つのデータとを記憶するデータ記憶部と、刺激提示部が刺激を提示するときに参照するためのデータベース部と、をさらに有することが望ましい。
【０００８】
また、本発明の好ましい態様によれば、被験者の行動の動機を作り出す刺激を提示する刺激提示ステップと、被験者の生理反応データを収集する生理反応データ収集ステップと、被験者の主観量データを収集する主観量データ収集ステップと、被験者の行動量データを収集する行動量データ収集ステップと、生理反応データと主観量データと行動量データとのうちの少なくともいずれか一つのデータと、刺激とに基づいて、被験者の心身状態を評価する評価演算ステップと、少なくとも被験者の心身状態を被験者へフィードバックするフィードバック・ステップと、を有することが望ましい。
【０００９】
また、本発明の好ましい態様によれば、刺激提示ステップでは、予め定められている内容の刺激を提示すること、または心身状態の評価を行う前の状態の被験者の生理反応データと主観量データと行動量データとのうちの少なくともいずれか一つのデータに基づいて被験者の心身状態に応じた刺激を提示することを行い、刺激を提示された後の被験者の心身状態に応じて、さらに刺激の内容を変化させて、被験者に提示することが望ましい。
【００１０】
また、本発明の好ましい態様によれば、評価演算ステップによる被験者に関する評価データを記憶するデータ記憶ステップを有し、刺激提示ステップでは、少なくともデータ記憶ステップにおいて記憶されている評価データに基づいて被験者の心身状態に応じた刺激候補を提示することを行い、さらに、提示された刺激を被験者に選択させる刺激選択ステップを有することが望ましい。
【００１１】
また、本発明の好ましい態様によれば、時間間隔をおいて、刺激提示ステップと評価演算ステップとを行うことが望ましい。
【発明の効果】
【００１２】
本発明によれば、被験者へ種々の刺激を付与し、その応答を評価、フィードバックすることで、被験者が心身状態を変化させることを支援する心身相関データ評価装置及び心身相関データ評価方法を提供できる。
【発明を実施するための最良の形態】
【００１３】
以下に、本発明に係る心身相関データ評価装置及び心身相関データ評価方法の実施例を図面に基づいて詳細に説明する。なお、この実施例によりこの発明が限定されるものではない。
【実施例１】
【００１４】
図１は、本発明に係る心身相関データ評価装置１００の機能ブロックを示している。図２は、心身相関データ評価装置１００の概略構成を示している。図３は、心身相関データ評価装置１００の外観構成を示している。
【００１５】
図１に示すように、心身相関データ評価装置１００は、刺激提示部１０１と、生理反応データ収集部１０２と、主観量・行動量データ収集部１０３と、データフィードバック部１０４と、制御演算部１０５と、データ記憶部１０６と、表示部１０７と、データベース１０８とを備えている。
【００１６】
具体的には、図２に示すように、心身相関データ評価装置１００は、直方体の筐体１１５内に設けられている椅子１１１を有している。被験者１０（不図示）は、ドア１２０を開いて、筐体１１５内に入室する。そして、被験者１０は、椅子１１１に着席する。筐体１１５の天井には、照明部１１６と、スピーカ１１７と、空調部１１８と、画像提示部１１９とが設けられている。
【００１７】
照明部１１６は、照明の色温度、色、明るさを変えて発光可能な照明ユニットを備えている。スピーカ１１７は、音楽、音声等を供給する。空調部１１８は、温度、湿度を制御する。また、空調部１１８は、様々な種類の香りを供給する芳香発生機能を有している。
【００１８】
画像提示部１１９は、ビデオテープや光ディスクの映像を投影する機能、音声を再生する機能を備えている記録再生ユニットやプロジェクタ等である。筐体１１５内の内側の壁１１４は、スクリーンの機能を備えている。壁１１４は、必要に応じて壁面の凹凸を変えられる構成、被験者１０を包み込むスクリーンの形態を変える構成としても良い。また、視覚刺激提示方法は、プロジェクタの他に、ゴーグル型の視覚刺激提示装置を用いることもできる。
【００１９】
被験者１０の正面には、カメラ入力部１１２が設けられている。カメラ入力部１１２は、被験者１０の顔の表情、動作等の行動を映像として取り込む。例えば心身相関データ評価装置１００に入室直後と退室直前のユーザーの顔をカメラで撮影して記録する。
【００２０】
また、カメラ入力部１１２には、キーボード（不図示）も備えられている。被験者１０は、キーボードを用いて、感情に関する文章作成、日記作成等を行なうことができる。また、気分を表すアイコンを選択、決定することもできる。さらに、マイクロフォン（不図示）を用いて、被験者１０の音声を取得することできる。このように、文字入力、あるいは簡単な方法で気持ちや気分を記入してもらう
【００２１】
また、椅子１１１には、複数の電極１１３が設けられている。被験者１０は、電極１１３を身体に装着する。電極１１３により、被験者１０の生理反応データ、例えば、脳波、心電図、脈波、皮膚電気活動等を非侵襲で検出できる。また、電極１１３は、小さく構成できるため、被験者１０を拘束する部分が少なくて良い。さらに、被験者１０の表情筋に筋電計の電極を装着して、被験者１０の表情筋の変化を推測することもできる。
【００２２】
また、被験者１０の行動、挙動、姿勢等を撮影するカメラ（不図示）を筐体１１５内に設けることでもできる。これにより、付与された刺激に対する被験者１０の行動量データを取得できる。
【００２３】
図４は、筐体１１５内に設けられている室内環境操作部１３０の概略構成を示している。室内環境操作部１３０は、タッチパネル式操作部１３１と操作案内ナレーション発信部１３２とを有している。操作案内ナレーション部１３２は、音声ガイドにより、被験者１０に対して室内環境を設定、変化させるための情報を伝える。また、被験者１０は、タッチパネル式操作部１３１により、上述した温度、湿度等の室内環境を所望の状態に設定することができる。
【００２４】
図５は、顔写真撮影部１４０の概略構成を示している。顔写真撮影部１４０は、図３に示すように入退室用のドア１２０の近傍に設けられている。そして、顔写真撮影部１４０は、カメラ１４１と、ディスプレイ１４２と、データシート排出部１４３と、ＵＳＢ接続部１４４とを備えている。
【００２５】
カメラ１４１は、被験者１０が心身相関データ評価装置１００へ入室する前と退室した後の顔の写真を撮影する。ディスプレイ１４２は、カメラ１４１が撮影する顔の表情等を表示する。また、データシート排出部１４２は、後述する手順により心身相関データの評価が終了した後に、評価に関するデータが記録されたシートを排出する。さらに、被験者１０は、ＵＳＢ接続部１４４を介して携帯型のメモリ等の記録媒体に評価に関するデータを記憶させることもできる。
【００２６】
次に、被験者１０の心身状態の評価手順を説明する。図６は、単純化した基本概念の評価手順を示すフローチャートである。また、実際の評価手順では、刺激、評価（判断）、入力等を種々組み合わせて、様々なことを行っている。例えば、図７は、実際の評価手順の一例を示すフローチャートである。なお、後述する図１５は、実際の手順の他の一例である。まず、図６に基づいて説明する。
【００２７】
一般に、被験者ごとに個人的な嗜好や感じ方が異なる。このため、同一条件の刺激を、被験者に付与したときに、その反応は個人ごとに異なってくる。本実施例では、被験者１０が、どのような刺激を受けると、自らの心身状態が変化、特に安定した快適な状態へ変化するかを経験することができる、いわばお手本モードを行なうものである。
【００２８】
なお、被験者１０の基本的な嗜好等、例えば好きな色、好きな音楽とは別に、被験者１０の心身状態に応じて欲する刺激の種類や大きさは異なってくると考えられる。例えば、色を例にすると、日常生活では「青色」を好む被験者１０であっても、その時の心身状態により「赤色」に関する刺激を心地よい、と感ずる場合もある。このように、被験者１０の心身状態と刺激とを関係付けることができる。
【００２９】
まず、ステップＳ６０１において、被験者１０は、心身相関データ評価装置１００へドア１２０から入室する。このとき、上述したように被験者１０の顔写真をカメラ１４１により撮影する。また、お手本モードでは、心身相関データ評価装置１００は、被験者１０に関する過去の評価データを有していない。
【００３０】
ステップＳ６０２において、刺激提示部１０１は、被験者に刺激を付与する。ステップＳ６０３において、被験者１０は、主観量データ、例えば、刺激を受けた後の気持ち、感情等を音声データ、日記作成等により心身相関データ評価装置１００に対して入力する。
【００３１】
また、ステップＳ６０４において、生理反応データ収集部１０２は、被験者１０の生理反応データを収集する。生理反応データ収集部１０２は、被験者１０から生理反応を非侵襲・非拘束で計測・処理する部分である。例えば、被験者１０から心電図、脈波、脳波などの生理反応を計測する。そして、生理反応データ収集部１０２は、計測された生理反応から生理指標を抽出し出力する。
【００３２】
ステップＳ６０５において、制御演算部１０５は、被験者１０に付与した刺激、生理反応データ、主観量データ、行動量データ等に基づいて、被験者１０の心身状態を評価する。なお、以下、適宜、付与された刺激と被験者１０の応答との関係における、生理反応データと主観量データと行動量データとのうちの少なくともいずれか一つのデータを「心身相関データ」という。
【００３３】
ステップＳ６０６において、表示部１０７は、評価結果、刺激の種類、刺激量の状態等を表示する。ステップＳ６０７において、評価を継続して行なうか否かについて判断する。ステップＳ６０７の判断結果が真（Ｙｅｓ）のとき、ステップＳ６０２に戻る。ステップＳ６０７の結果が偽（Ｎｏ）のとき、ステップＳ６０８において、評価結果、刺激量等を出力する。
【００３４】
ステップＳ６０６、Ｓ６０８は、フィードバック・ステップに対応する。例えばステップＳ６０８においては、統合した被験者１０のデータを、被験者１０が容易に理解できるように加工して、紙に印刷して出力すること、本人のみが電子データを記憶媒体に記録することができる。データの加工は、例えば、生理反応については、交感神経系優位または副交感神経系優位かの１軸で表すことが考えられる。主観量データ、行動量データは、生理反応データの結果を刺激の種類や量と合わせて表示して、心と身体の相関関係を直観的に被験者１０に伝えることができる。
【００３５】
図７を用いて、さらに詳細な評価手順を説明する。ステップＳ７０１において、被験者１０は、心身相関データ評価装置１００に入室する。次に、制御演算部１０５は、ステップＳ７０２とステップＳ７０３とのいずれか一方のステップを行なう。ステップＳ７０２とステップＳ７０３との実行の選択は、被験者１０が自ら行なうこと、及びいずれのステップを実行するかを予め制御演算部１０５に登録しておくことのいずれでも良い。
【００３６】
まず、ステップＳ７０２について説明する。ステップＳ７０２おいて、制御演算部１０５は、標準的な内容の刺激及び刺激量（以下、適宜「刺激量」という。）を選択し、被験者１０に付与する。刺激に関する情報は、データベース１０８に格納されている。
【００３７】
ステップＳ７０４において、制御演算部１０５は、標準的な内容の刺激を選択するとき、適宜、データベース１０８を参照する。データベース１０８には、例えば、以下の表１に掲げるような情報が格納されている。そして、各刺激について、提示された刺激を表示する。また、データベース１０８には、被験者１０の個人データを格納させておくこともできる。個人データは、被験者１０の属性、例えば、年齢、性別、母国語、育った環境情報等である。なお、被験者１０は、心身相関データ評価装置１００とは異なる記憶媒体等を用いて個人データを管理することもできる。このとき、心身相関データ評価装置１００は、記憶媒体から被験者１０の個人データを読み取って、データベース１０８に格納する。また、データベース１０８に格納されている情報の保護、管理は、被験者１０本人が行っても良いし、被験者１０が依頼する管理機関が行っても良い。
【００３８】
ここで、例えば、懐かしい過去の写真や、様々なシーン（情景）に対応した香り（匂い）を付与することができる。なお、表１において、「ＯＮ」は刺激を付与する状態、「ＯＦＦ」は刺激を付与しない状態、「変更」は刺激の量を増減する状態を選択できることを示している。以下、全ての表において同様である。
【００３９】
（表１）
（１）音        ＯＮ  ＯＦＦ  変更
（２）香り      ＯＮ  ＯＦＦ  変更
（３）色        ＯＮ  ＯＦＦ  変更
（４）光        ＯＮ  ＯＦＦ  変更
（５）空調      ＯＮ  ＯＦＦ  変更
（６）作業      ＯＮ  ＯＦＦ  変更
（７）画像      ＯＮ  ＯＦＦ  変更
【００４０】
図８は、さらに詳細な刺激の内容の例を示している。刺激の例として、音、香り、色、光、空調、作業、画像を掲げる。例えば、音を代表例にして説明する。音、特に音楽は、「優しい曲」、「のどかな曲」、「明るく陽気な曲」、「悲しい曲」、「幸せな気分になる曲」、「怒りの曲」、「孤独を感じさせる曲」、「考えさせる曲」、「冗談の曲」、「異国情緒の曲」等の種類がある。
【００４１】
次に、刺激提示部１０１が提示する刺激に関して、さらに詳細に説明する。例えば、「心を表出させる刺激例」、「心に作用する刺激例」について説明する。
【００４２】
（心を表出させる刺激例）
芸術療法：
アートにおいては自己表現したい感情や意見が最初から自覚されている。そして、このような感情や意見を表現することがアートとなる。これに対して、アートセラピーの場合は、自己の感情や意見が自覚されていなくてよい。アートセラピーでは、創作活動の過程で自己の感情や意見に気づいていくことを目指す。
【００４３】
本実施例の心身相関データ評価装置１００においては、キャンバスや絵の具に代わるヴァーチャルな創作に必要な道具を備えている。また、被験者１０が壁に触れると色が変わる構成、または被験者１０の体温で壁の色が変わるなどの構成とすることもできる。これにより、被験者１０が遊びながら、自分で意識していない感情や意見を表出することを可能にできる。
【００４４】
投影法：
人間は形のはっきりしないものを見た時、自分の心の中の状態に影響されて対象を見てしまう傾向にある。こうした心の現象を投影という。これを利用した心理テストが「投影法」である。例えば、ロールシャッハ・テストが知られている。
【００４５】
ロールシャッハ・テストは、インクのしみのついた図版を被験者１０に何枚も見せ、本人が見えるままに自由に答えてもらう。そして、その答え方の傾向から被験者１０の思考様式や感情状態などを把握しようとするものである。
【００４６】
心身相関データ装置１００では、図版を用意する。図版を被験者１０に見せる。そして、被験者１０に図版の見え方を答えてもらう。回答データを収集して、答え方の傾向を明らかにする。そして、被験者１０に傾向をフィードバックする。
【００４７】
この他にも、図版をあいまいな状況を示す絵にして、この絵を見せて絵から想像するストーリーの内容によって、被験者１０の性格を分析すること（絵画・統覚テスト）、木を一本描いてもらって、その絵から性格を診断する（バウムテスト）ことを行なっても良い。
【００４８】
次に、心理テストについて説明する。
作業検査法：
一定の作業、例えば加算作業などを被験者１０に行わせ、その取り組みの態度や、作業結果から被験者１０の性格を判断するものである。代表的な作業検査法として、内田・クレペリン検査法がある。１分間あたりの作業量をプロットした作業曲線から、被験者１０の傾向がわかる。
【００４９】
例えば、最初は多くの作業をするが、すぐに疲れたり飽きたりして作業量が低下するパターンがある。逆に、最初は作業量が少ないが、徐々に作業量が増加するパターンもある。心身相関データ評価装置１００では、内田・クレペリン検査法を取り入れることもできる。そして、被験者１０に作業を提示し、その１分間あたりの作業量と質を記録する。これにより、被験者１０のパターンを明らかにして、被験者１０にフィードバックすることもできる。
【００５０】
次に、「心に作用する刺激例」について説明する。
芳香の提示：
匂いの嗜好性は、教育、心理的要因、性差によっても影響を受けることが知られている（例えば、日本建築学会編、人間環境学、朝倉書店、東京、p.４３、１９９８年を参照）。このことから、匂いの嗜好性を調べて記録をとれば、個人の個性や、日々の心理的状況を反映した指標が得られると考えられる。
【００５１】
匂いには、匂いによって記憶が呼び起こされるブルースト効果があることも知られている。刺激提示部１０１から様々な匂いが放出されれば、これによって被験者１０が忘れていた記憶を思い出させる効果も期待できる。
【００５２】
また、植物の花、種子、実、果実、葉、あるいは根などから抽出された精油からは、芳香が発せられる。このような芳香は、精神に対して良い効果があることが知られている。このような効果は、研究でも確かめられている。
【００５３】
例えば、各種の香りが健康な成人男性と女性の精神的疲労に対して影響を及ぼすことが調べられた研究がある（木谷照夫、遠藤俊吉、鈴木博子他、精神作業負荷による疲労ならびに不安に対する香の効果―評価尺度及び精神生理学的方法による検討―、厚生科学研究費補助金健康科学総合研究事業−疲労の実態調査と健康づくりのための疲労回復手法に関する研究・平成１１年度業績報告書、ｐｐ．１００−１０８ (２０００)参照）。これによると、ペパーミント、ベルガモット、ラベンダー、サンダルウッドの香りには、自覚的疲労度と不安を軽減する作用がある。特に、不安の軽減には鎮静作用のあるベルガモットとラベンダーが効果的であることが判明している。
【００５４】
ペパーミントは、脳波の早い成分を著明に増加させ、覚醒度をより高める作用を有している。ベルガモットとサンダルウッドは、選択的注意力に良い効果を及ぼす。ラベンダーは、脳の情報処理に良い効果を与えていることが示唆されている。
【００５５】
刺激提示部１０１から上述のような芳香を放出させると、被験者１０の精神に作用して疲労回復や、覚醒を高める効果をもたらす。
【００５６】
音楽の提示：
被験者１０が、自分で最も鎮静効果が得られると思った音楽を選んで、それを３０分聴取する。主観的には、緊張、不安、疲労、イライラ度の軽減、幸福感、リラックス度の増進が認められる。また、客観的指標でも心電図Ｒ-Ｒ間隔の解析から副交感神経系の優位化が認められる。このように、自分で鎮静効果があると判断し選んだ音楽には、鎮静効果があることが知られている（近藤真由、灰田宗孝、村上優、和泉俊一郎、牧野恒久、沖野成紀、志水哲雄、音楽療法の効果判定に用いる客観的、科学的指標の探求とその特性についての検討、第５回日本音楽療法学会学術大会要旨集、２００５年を参照）。このため、自分で鎮静効果があると思った音楽を選んで、刺激提示部１０１でその音楽を再生する。これにより、音楽を選択した被験者１０に鎮静効果をもたらすことが期待される。
【００５７】
色の提示：
色は、人間の生理的な状態を左右する働きを持つことが知られている。例えば、赤色や黄色の暖色の光は自律神経を刺激し、血圧を高め、呼吸数、まばたきを増大させる働きがある。これに対して、青い光や緑の光のような寒色光は、自律神経系を刺激せず、覚醒度や呼吸数を低める働きがある（Ｌｉｂｅｒｍａｎ， Ｊ．:Ｌｉｇｈｔ， Ｂｅａｒ ＆ Ｃｏｍｐａｎｙ Ｉｎｃ．， １９９１ (飯村大助訳：光の医学  光と色がもたらす癒しのメカニズム、日本教文社、p.４０-４２， １９９６を参照)））。
【００５８】
暖色系の色と、寒色系の色とを、被験者の状態に合わせて提示すれば、被験者を生理的な興奮の状態にさせること、または安静の状態にさせることができる。
【００５９】
また、色が持つ心理的メッセージについて、心理学、臨床的研究において
研究が進められてきた。
これによると、色がもつ心理的イメージはある１つの色に対してある種の共通認識がありながらも
詳細には人によっては様々であることがわかっている（山脇惠子、図解雑学よくわかる色彩心理、ナツメ社、p.110-147, 2005)。
これは、色のイメージには、次の３つの要素（１）、（２）、（３）が複雑にからまっているからである。
（１）原始の時代から人間が進化する過程で得た情報
（２）国や文化によって受け継がれてきた情報
（３）個人の体験から生じた情報
【００６０】
従って、被験者１０が選択した色のみに基づいて判断すると、被験者１０の一般的な心理的な状態を推測できる。さらに好ましくは、代表的な色に対して抱いている被験者１０のイメージ（印象等）を、予め取得し、記憶しておくことが望ましい。そして、被験者１０が選択した色に基づいて、被験者１０に応じて記憶されているイメージを当てはめる。これにより、被験者１０に応じた心理的な状態を推測できる。
【００６１】
また、色彩嗜好と性格の関連性も知られている。ビレン・カラー・アナリストを例に挙げる。これはケース・スタディーに基づいた、色彩嗜好と性格の関連性である（フェイバー・ビレン著、佐藤邦夫訳、ビレン色彩学の謎を解く、青娥書房、p.204-217,2003）。これによると、赤い色を嗜好する人は、外交志向型の興味や関心に満ちている。赤い色を嗜好する男女は、衝動性に富み、運動能力に優れ、セクシーであり、審議に関わらず心に浮かぶことはすぐに発言するタイプである。このような色彩嗜好と性格の関連性がこの他、ピンク、オレンジ、黄色、黄緑、緑、青緑、青、紫系統、茶色、白・黒・グレーについて知られている。被験者１０が選択した色とこの知見を照らし合わせれば、制御演算部１０５において被験者１０の性格を考慮した刺激付与が行えるほか、付与刺激選択肢を作成する助けとなる。
【００６２】
光の提示：
光のない暗い環境は、運動神経を沈静する働きがあり、人をリラックスさせる。また、光の乏しい暗い環境では物体の輪郭は、不明瞭になる。境界線がぼやけた状態にしか見えず、物体との距離感覚も曖昧になる。教会などの宗教建築は一般的に、内部に暗い空間を持っている。これは、暗い空間では人間は内面へと注意が向きやすいためだろうと考えられている（日本建築学会編、人間環境学、朝倉書店、p.24、1998） 。このことから、刺激提示部１０１からの光の量を減少させれば、被験者１０を沈静させたり、被験者１０の内面へと注意を向けさせる効果があると期待される。
【００６３】
次に行動療法支援について説明する。
主張訓練やモデリング：
言いたいことを言わないで我慢するという行動パターンをとるためにストレスを抱えてしまう人がいる。このような人がストレスを抱えないための訓練の一つに主張訓練がある。主張訓練は、自分の伝えたいことを相手に受け入れられる形で、言葉や態度、行動で表現していくことを学習するものである。
【００６４】
例えば、被験者１０が、自分が主張したいことを予め用意されたメニューの中から選択すると、その主張を利用する場面が４コマ漫画で表示される。１回目は、主人公の主張場面の言動、行動を見て覚える。２回目は、自分で主人公の役を見本の真似をしながら演じる。これにより、これまで自分の意見を主張できなかった場面で、主張できるように訓練をすることができる。
【００６５】
系統的脱感作法の利用：
恐怖や不安を主な対象とし、これを段階的（系統的）に感じなくなる（脱感作用）ことを目指す方法である。これをアレンジして、例えば人前に出ると緊張してしまう被験者１０には、まず、心身相関データ装置１００内で、芳香や光、音を被験者１０がリラックスできるように調節する。そして、被験者１０がリラックスした後に、この状態で緊張を感じる場面を映像と音で臨場感を高めて再生する。このような刺激を、リラックスの反応と結びつけることで、緊張が弱まることを体感してもらう。これを繰り返し、場合によってはもっと緊張する場面を呈示して、リラックスの反応と結びつける訓練をする。そして、最終的には、被験者１０が現実場面でも緊張を感じなくなるまで、この手続きを繰り返す。
【００６６】
次に、ステップ７０３について説明する。ステップＳ７０３において、生理反応データ収集部１０２や主観量・行動量データ収集部１０３は、入室した被験者１０に関する生理反応データ、主観量データ、行動量データを収集する。生理反応データの例を表２に掲げる。
【００６７】
（表２）
（１）脳波            ＯＮ  ＯＦＦ  変更
（２）脈波            ＯＮ  ＯＦＦ  変更
（３）皮膚電気活動    ＯＮ  ＯＦＦ  変更
（４）体温            ＯＮ  ＯＦＦ  変更
（５）瞳孔径          ＯＮ  ＯＦＦ  変更
（６）心電図          ＯＮ  ＯＦＦ  変更
（７）酸素飽和度      ＯＮ  ＯＦＦ  変更
【００６８】
また、行動量データの例を表３に掲げる。
(表３）
（１）絵を描く
（２）塗り絵をする
（３）粘土で形を作る
（４）自分の体をトレースして色を塗る
（５）音を出す
（６）「エ」を繰り返し発音する
（７）笑った顔を作る
（８）「ウ」を繰り返し発音する
（９）「怒った顔」を作る
【００６９】
また、主観量データ、例えば、被験者の言語には表出されない気分の表示については、例えば表４に掲げるデータに基づいて判断できる。
(表４）
（１）表情                ＯＮ  ＯＦＦ  変更
（２）音声                ＯＮ  ＯＦＦ  変更
（３）姿勢                ＯＮ  ＯＦＦ  変更
（４）繰り返し表れる行動  ＯＮ  ＯＦＦ  変更
（５）空間行動            ＯＮ  ＯＦＦ  変更
【００７０】
主観量データに関しては、表５に掲げる方法で取得することができる。
（表５）
（１）ビデオカメラによる、姿勢、しぐさ行動計測
（２）カメラによる表情撮影
（３）音声記録部による主観入力および、情動記録
（４）握力センサーによるノンバーバルコミュニケーション記録
（５）日記形式による出来事記入
（６）フェイス・スケールによる感情記録
（７）自由記入による感情記録
【００７１】
図９は、さらに詳細な主観量データに関する内容を示している。図９は、主観量データの代表的な例として、主観的感情の抽出と、言語表出されない気分の抽出とについて、それぞれの項目例、データ収集方法、データ分析法、被験者の入力作業を示している。
【００７２】
例えば、図９に基づいて、内観法を用いて主観的感情を抽出する例を代表例として説明する。被験者１０は、キーボードを用いて日記を作成する。制御演算部１０５は、入力された日記の文字データに基づいて、被験者１０の感情を表す言葉を抽出して、被験者１０の感情や出来事を認識する。このとき、被験者１０は、入力作業を自由（任意）に行なうことができる。
【００７３】
また、言語表出されない気分の抽出については、例えば、被験者１０の「表情」を、カメラ入力部１１２がビデオ撮影する。そして、撮影されたデータに基づいて、制御演算部１０５は、被験者１０の顔の特徴点を抽出して分析する。
【００７４】
図１０は、刺激の組み合わせ例を示している。データベース１０８には、「音」、「香り」、「色」、「光」、「空調」、「作業」、「画像」に関して、様々な種類のデータが格納されている。例えば、「興奮させる、活気を持たせる刺激」を被験者１０に付与する場合を代表例にして説明する。制御演算部１０５が「興奮させる、活気を持たせる刺激」を選択するときは、データベース１０８内に格納されているデータの中から、「音」に関しては、明るく陽気な曲、怒りの曲、異国情緒の曲のいずれかを選択する。「香り」に関しては、脳を目覚めさせる香りを選択する。「色」に関しては、活気・興奮の色、社交性を高める色、自己主張の色のいずれかを選択する。「光」に関しては、活動的な光を選択する。「空調」に関しては、不快な条件、または快いと感じる条件のいずれかの温度、湿度等の条件を選択する。「作業」に関しては、言語化できない心の内を表現する作業、快感情を作る作業のいずれかを被験者１０に行なわせる。「画像」に関しては、恐怖を起こす場面、広々とした場面、記憶を呼び覚ます場面等のいずれかを選択する。なお、ここで選択されなかった刺激は、ステップS７０８で選択される。
【００７５】
「画像」は撮影したビデオを表示しても良いし、ビデオから、各項目についてそれぞれ特徴を抽出して、その特徴を表示しても良い。このように、ステップＳ７０２、ステップＳ７０５は、被験者１０の行動の動機を作り出す刺激を提示する刺激提示ステップに対応する。なお、ステップＳ７０３は、生理反応データ収集ステップと、主観量データ収集ステップと、行動量データ収集ステップとに対応する。
【００７６】
ステップＳ７０５において、制御演算部１０５は、生理反応データ収集部１０２からの生理反応データと、主観量・行動量データ収集部１０３からの主観量データ、行動量データとに基づいて被験者１０の心の状態に応じた刺激を選択する。そして、刺激提示部１０１は、選択された刺激を被験者１０に付与する。なお、ステップＳ７０２の実行とステップＳ７０３の実行との選択は、被験者１０が自ら選択することができる。
【００７７】
ステップＳ７０６において、制御演算部１０５は、生理反応データと主観量データと行動量データとのうちの少なくともいずれか一つのデータと、刺激とに基づいて、被験者の心身状態を評価する。そして、被験者１０は、心の状態が変化したと感じたか否かを判断する。
【００７８】
ここで、データ記憶部１０６は、取得した生理反応データと主観量データと行動量データと、刺激と、心身状態の評価結果とを記憶する。データ記憶部１０６としては、例えばメモリを用いることができる。
【００７９】
ステップＳ７０６の判断結果が真のとき、ステップＳ７１０において、表示部１０７は、心の状態が変化したと判断したときの刺激に対する被験者１０の生理反応データ、主観量データ、行動量データと刺激を表示する。そして、ステップＳ７１１において、このときの生理反応データ、主観量データ、行動量データ、刺激量、刺激に対する被験者１０の応答等を出力する。出力のためには、上述したデータシート排出部１４３によるデータシートの出力、ＵＳＢ接続部１４４による記憶媒体への出力等を挙げることができる。なお、ステップＳ７１０、Ｓ７１１は、フィードバック・ステップに対応する。    
【００８０】
これに対して、ステップＳ７０６の判断結果が偽のとき、ステップＳ７０７において、被験者１０は、自らの嗜好や現在の気持ち等をカメラ入力部１１２、キーボード、マイクロフォン等を介して入力する。
【００８１】
ステップＳ７０８において、制御演算部１０５は、刺激の内容を変化させる。そして、ステップＳ７０９において、刺激提示部１０１は、変化した内容の刺激を被験者１０に付与する。「刺激の内容を変化させる」とは、刺激の量（程度）を増減させること、刺激の種類自体を異ならせることなどをいう。そして、ステップＳ７０６へ戻る。
【００８２】
次に、被験者１０の心の状態の変化について説明する。図１１は、音楽療法の基本的な原則とされるアルトシューラーの「同質性の原理」に基づいて、被験者１０への刺激を選択する方法を説明するための図である。
【００８３】
被験者１０の感情を図１１に示すように、円環上の８個の位置に対応させて、以下のＡ〜Ｈのように定める。このような円環図は、ラーセンとディーナーによる８分割モデルと呼ばれているものである。
Ａ・・・活性
Ｂ・・・快の活性
Ｃ・・・快
Ｄ・・・快の不活性
Ｅ・・・不活性
Ｆ・・・不快の不活性
Ｇ・・・不快
Ｈ・・・不快の活性
【００８４】
そして、現在の被験者１０の感情から、円環上の隣の感情を経由して、快感情を目指すように刺激を付与する。また、現在の被験者１０の感情が、既に快感情のときは、他の快感情を目指すように刺激を付与する。
【００８５】
図１２は、刺激と感情との関係を示している。例えば、刺激を受ける前の感情が、「緊張、怒り（不快の活性）」の状態であるとする。このとき、刺激として、「興奮させる、活気を持たせる刺激」を被験者１０に付与する。これにより、被験者１０の刺激を受けた後の感情は、「興奮、活気（快の活性）」へと変化する。
【００８６】
次に、評価について３つの評価例に基づいて説明する。
第１の評価例：
顔面表情、発声、姿勢、身振りなどの外在化された表出行動と生理反応の内在化された反応の一致、相違に着目した評価である。そして、以下の４通りに分類される。
（１）表出行動傾向が高く、交感神経系の活性化が低い→外在化者
（２）表出行動傾向が高く、交感神経系の活性化が高い→一般化者・高
（３）表出行動傾向が低く、交感神経系の活性化が低い→一般化者・低
（４）表出行動傾向が低く、交感神経系の活性化が高い→内在化者
図１３は、第１の評価例における刺激の与え方を示している。外在化者、内在化者を一般化者になるように刺激を付与する。また、一般化者・高、一般化者・低については、その状態に同調する刺激を付与する。
【００８７】
第２の評価例：
言語による感情表現から、その感情を上述した感情の円環モデルの上に位置づけるものである。言語による感情表現は、内観法、ＰＯＭＳ気分プロフィールテスト、複数の基本感情の得点化等を挙げることができる。
【００８８】
第３の評価例：
言語による感情の表現と、生理反応から得られる興奮度の両方から総合的に対象の感情を上述した感情の円環モデルの上に位置づける。言語による感情表現は、内観法、ＰＯＭＳ気分プロフィールテスト、複数の基本感情の得点化等を挙げることができる。
【００８９】
このように、本実施例では、心身相関データ評価装置１００を用いて、刺激提示ステップでは、予め定められている内容の刺激を提示すること、または心身状態の評価を行う前の状態の被験者１０の生理反応データと主観量データと行動量データとのうちの少なくともいずれか一つのデータに基づいて被験者１０の心身状態に応じた刺激を提示することを行っている。そして、刺激を提示された後の被験者１０の心身状態に応じて、さらに刺激の内容を変化させて、被験者１０に提示する。これにより、被験者１０は、心身状態を変えるための被験者１０に応じた刺激（環境）を経験できる。
【００９０】
具体的には、被験者１０が自分自身の室内環境、たとえば室内の照明の明るさ、気温、湿度、音など、から受ける生理反応や行動、気分への影響を知ることができる。加えて、被験者１０の様々な状況における生理反応や行動、気分を検出し、その情報を被験者１０に知らせることができる。
【００９１】
例えば、刺激提示部１０１から、性格特性を診断する質問を提示して、被験者１０がそれに対する回答を記録する。この回答から被験者１０の性格特性が分かる。それに加えて、心身相関データ評価装置１００は、生理反応、行動、主観を計測する。このため、回答だけでは被験者個人が隠してしまう可能性のある被験者１０の特性を捉えて、被験者１０に知らせることができる。
【００９２】
また、視覚、聴覚、嗅覚、触覚、味覚など様々な感覚を活用するような課題を提示することもできる。そして、被験者１０に、このような刺激に対する回答を例えば、キーボードにより入力してもらう。制御演算部１０５は、被験者１０の回答を分析する。データフィードバック部１０４は、被験者１０に分析結果をフィードバックする。これにより、被験者１０に被験者１０自身の感覚能力を認識させることができる。
【００９３】
さらに、評価中に、生理反応データ、行動量データ、主観量データを記録している。このため、これを解析して被験者１０にフィードバックする。これによれば、被験者１０に、被験者１０にとって緊張を引き起こす感覚やリラックスを起こす感覚を認識させることができる。
【００９４】
また、刺激提示部１０１は、人とコミュニケーションを行なう場面を提示することもできる。生理反応データ収集部１０２や主観量・行動量データ収集部１０３は、この刺激の時に被験者１０がとる行動に関する応答を検出する。制御演算部１０５は、取得したデータを解析する。データフィードバック部１０４は、被験者１０に評価データをフィードバックする。これにより、被験者１０に対人場面における行動の傾向を知らせることができる。さらに、この評価実行中の生理反応データ、行動量データ、主観量データ等のデータも合わせて参照すると、被験者１０に対して被験者１０が苦手な対人コミュニケーション条件や、リラックスできる対人コミュニケーション条件を伝えることができる。
【実施例２】
【００９５】
次に、本発明の実施例２に係る心身相関データ評価装置２００について説明する。実施例１と同一の部分には同一の符号を付し、重複する説明は省略する。図１４は、心身相関データ評価装置２００の内部構成を示している。
【００９６】
本実施例では、内壁２０１がドーム形状を有している。このため、被験者１０は、内壁２０１に投影された映像等を観察するとき、より没入感を得ることができる。
【００９７】
次に、実施例２における心身相関データ評価方法について説明する。本実施例では、実施例１と同一の構成の心身相関データ評価装置１００を用いる。そして、被験者１０の心身状態を変えるためのプロセスを、被験者１０が自発的に選択できるようにしている点が異なる。実施例１と同一の部分には同一の符号を付し、重複する説明は省略する。
【００９８】
図１５は、本実施例における心身相関データの評価手順を示すフローチャートである。ステップＳ１４０１において、被験者１０は、心身相関データ評価装置１００に入室する。ここで、被験者１０は、過去に既に心身相関データ評価装置１００により、心身状態の評価を受けているものとする。そして、データベース１０８は、既に取得されている被験者１０の心身相関データを格納している。
【００９９】
ステップＳ１４０２において、生理反応データ収集部１０２と主観量・行動量データ収集部１０３とにより、入室した被験者１０の心身相関データを取得する。そして、制御演算部１０５は、既に格納されているデータベース１０８内のデータを参照して、入室した被験者１０の心身状態を評価する。
【０１００】
ステップＳ１４０３において、制御演算部１０５は、ステップＳ１４０４で既に格納されているデータベース１０８内のデータを参照して、被験者１０の心身状態に応じた刺激群を提示する。刺激群の提示は、例えば、カメラ入力部１１２が備えているモニタ（不図示）に表示される。なお、データベース１０８には、評価演算ステップによる被験者１０に関する評価データを記憶するデータ記憶ステップにより心身相関データが格納されている。
【０１０１】
データベース１０８内には、被験者１０に関する、刺激データ、生理反応データ、主観量データ、行動量データ等が、個人別に、時間経過の順に並べて格納（蓄積）されている。なお、これらのデータは、本人（被験者１０）のみが自分のデータを個人の記憶媒体に記憶させておくこともできる。
【０１０２】
ステップＳ１４０５において、被験者１０が、自らの過去の体験に基づいて、提示されている刺激のうちから適宜刺激を選択する。刺激提示部１０１は、選択された刺激を被験者１０に提示する。ステップＳ１４０５は、刺激選択ステップに対応する。
【０１０３】
ステップＳ１４０６において、被験者１０は、心身状態が変わったか、否かが判断される。ステップＳ１４０６の判断結果が真のとき、ステップＳ１４０７において、終了するか、否かが判断される。
【０１０４】
ステップＳ１４０７の判断結果が真のとき、ステップＳ１４０８において、表示部１０７は、心の状態が変化したと判断したときの生理反応データ、主観量データ、行動量データ、刺激、刺激に対する被験者１０の応答等を表示する。そして、ステップＳ１４０９において、このときの生理反応データ、主観量データ、行動量データ、刺激、刺激に対する被験者１０の応答等を出力する。出力のためには、上述したデータシート排出部１４３によるデータシートの出力、ＵＳＢ接続部１４４による記憶媒体への出力等を挙げることができる。なお、ステップＳ１４０８、Ｓ１４０９は、フィードバック・ステップに対応する。
【０１０５】
また、ステップＳ１４０７の判断結果が偽のとき、ステップＳ１４１１において、制御演算部１０５は、他の刺激群を選択する。そして、選択された刺激群は、例えば、カメラ入力部１１２が備えているモニタ（不図示）に表示される。そして、ステップＳ１４０５を繰り返す。
【０１０６】
また、ステップＳ１４０６の判断結果が偽のとき、ステップＳ１４１０に進む。ステップＳ１４１０において、さらに別の刺激が必要か否か、が判断される。
【０１０７】
ステップＳ１４１０の判断結果が真のとき、ステップＳ１４１１において、制御演算部１０５は、他の刺激群を選択する。そして、選択された刺激群は、例えば、カメラ入力部１１２が備えているモニタ（不図示）に表示される。そして、ステップＳ１４０５を繰り返す。
【０１０８】
これに対して、ステップＳ１４１０の判断結果が偽のときは、被験者が心の状態が変わったと判断するまで、ステップＳ１４０５を繰り返す。
【０１０９】
また、本実施例において、時間間隔をおいて、刺激提示ステップと評価演算ステップとを行うことが望ましい。例えば、被験者１０は、心身相関データ評価装置１００に入室して評価を受ける。データ記憶部１０６は、このときの評価データを格納する。そして、被験者１０は、他の日（例えば、定期的な日数後）に再び、心身相関データ評価装置１００に入室する。そして、同様に、データ記憶部１０６は、評価データを格納する。
【０１１０】
このような手順を繰り返すことで、データ記憶部１０６には、複数の評価日時における評価データが格納される。これを繰り返すことで、被験者１０は、毎回の評価が良い方向へ向かっているか、を判断できる。
【実施例３】
【０１１１】
次に、本発明の実施例３に係る心身相関データ評価装置３００について説明する。実施例１と同一の部分には同一の符号を付し、重複する説明は省略する。図１６は、心身相関データ評価装置３００の内部構成を示している。図１７は、心身相関データ評価装置３００の外観構成を示している。
【０１１２】
本実施例では、筐体３０１、内壁２０１が共にドーム形状を有している。このため、被験者１０は、さらに一層の没入感を得ることができる。
【０１１３】
なお、上記各実施例において、心身相関データ評価装置の概観は、部屋形状のものに限られない。例えば、上述した心身相関データ評価装置の機能を車などの乗り物に搭載することもできる。さらに、心身相関データ評価装置の機能を、被験者１０にウエアラブルなユニットで実現すること、子供向け玩具に搭載することも可能である。
【０１１４】
また、刺激の内容は、被験者の精神的、身体的状況に応じて場合わけをして適切な刺激を選択することが望ましい。例えば、心身共に障害のない人、精神的な障害を有する人、身体的な障害を有する人、心身ともに障害を有する人といったような場合分けを行う。そして、各場合ごとに適切な刺激を選択する。
【０１１５】
また、被験者が刺激を選択するなどという指令を装置に与える方法は、指で操作部を操作する方法、音声で操作する方法、息遣いや目で合図を送る方法など、種々の身体表現や身体表現を拡張した方法で指令を送ることもできる。
【０１１６】
また、刺激は、被験者が自然に感じられるように提示することが望ましい。例えば、以下に自然に感じられる提示例を示す。
（１）被験者の母国語で心身相関データ評価装置から被験者１０へ問いかけを行うこと
（２）被験者から心身相関データ評価装置への指令を母国語で行うこと
（３）被験者と心身相関データ評価装置とのコミュニケーションを会話のように進行させること
（４）心身相関データ評価装置の室温を被験者の生育生態系に一致するように、その温度範囲を変化させること
（５）例えば海の画像が提示される時には、これに合わせて、海の匂い、海の音、気温、空気の流れが提示されるというように、他の刺激が統一性をもって提示されること
【０１１７】
また、本発明は、以下のような分野へも応用できる。被験者を特定しないで取得した評価、刺激に関する情報を様々な産業分野、例えば、建築設計、インテリア設計等へフィードバックすることができる。さらに、本発明は、例えば、カウンセリングの分野へ応用できる。従来は、カウンセラーの主観的なデータに依存していたものを、本発明によれば、客観的なデータを得ることができる。このように、本発明は、その趣旨を逸脱しない範囲で様々な変形例をとることができる。  
【産業上の利用可能性】
【０１１８】
以上のように、本発明に係る心身相関データ評価装置１００は、被験者が心身状態を変化させることを支援する装置に適している。
【図面の簡単な説明】
【０１１９】
【図１】実施例１に係る心身相関データ評価装置の機能ブロックを示す図である。
【図２】実施例１に係る心身相関データ評価装置の内部構成を示す図である。
【図３】実施例１に係る心身相関データ評価装置の外観構成を示す図である。
【図４】実施例１の室内環境操作部の概略構成を示す図である。
【図５】実施例１の顔写真撮影部の概略構成を示す図である。
【図６】実施例１における心身相関データ評価方法の概略手順を示すフローチャートである。
【図７】実施例１における心身相関データ評価方法の詳細手順を示すフローチャートである。
【図８】刺激の例を示す図である。
【図９】主観量データの例を示す図である。
【図１０】刺激の組み合わせ例を示す図である。
【図１１】被験者への刺激を選択する方法を説明する図である。
【図１２】刺激による感情の変化を示す図である。
【図１３】評価データに合わせた刺激の組み合わせ例を示す図である。
【図１４】実施例２に係る心身相関データ評価装置の概略構成を示す図である。
【図１５】実施例２に係る心身相関データ評価方法の手順を示すフローチャートである。
【図１６】実施例３に係る心身相関データ評価装置の内部構成を示す図である。
【図１７】実施例３に関わる心身相関データ評価装置の外観構成を示す図である。
【符号の説明】
【０１２０】
１０    被験者
１００  心身相関データ評価装置
１０１  刺激提示部
１０２  生理反応データ収集部
１０３  主観量・行動量データ収集部
１０４  データフィードバック部
１０５  制御演算部
１０６  データ記憶部
１０７  表示部
１０８  データベース部
１１１  椅子
１１２  カメラ入力部
１１３  電極
１１４  内壁
１１５  筐体
１１６  照明
１１７  スピーカ
１１８  空調部
１１９  画像提示部
１２０  ドア
１３０  室内環境操作部
１３１  タッチパネル式操作部
１３２  操作案内ナレーション発信部
１４０  顔写真撮影部
１４１  カメラ
１４２  ディスプレイ
１４３  データシート排出部
１４４  ＵＳＢ接続部
２００  心身相関データ評価装置
２０１  内壁
３００  心身相関データ評価装置
３０１  筐体
【図１】
2007167105.tif 000003
【図２】
2007167105.tif 000004
【図３】
2007167105.tif 000005
【図４】
2007167105.tif 000006
【図５】
2007167105.tif 000007
【図６】
2007167105.tif 000008
【図７】
2007167105.tif 000009
【図８】
2007167105.tif 000010
【図９】
2007167105.tif 000011
【図１０】
2007167105.tif 000012
【図１１】
2007167105.tif 000013
【図１２】
2007167105.tif 000014
【図１３】
2007167105.tif 000015
【図１４】
2007167105.tif 000016
【図１５】
2007167105.tif 000017
【図１６】
2007167105.tif 000018
【図１７】
2007167105.tif 000019